(57)【特許請求の範囲】
【請求項１】
供給部に供給された帳票を取出し部から一枚ずつ取出して搬送路に送り、搬送中に前記帳票上に記録された情報を読み取る帳票処理装置において、
前記供給部は、前記帳票を複数枚積層させた状態で水平面に対して角度をつけて載置するためのバックアップ板、前記帳票に前記角度をつけたまま水平方向に移動させるために設けられる複数段の供給ベルト群、前記供給ベルト群の送り速度よりも速い送り速度で駆動され、前記帳票を捌くために設けられる複数段の捌きベルト群、及び前記帳票を水平面上に載置し、前記帳票を前記取出し部に供給するためのホッパーを有し、
前記バックアップ板、前記供給ベルト群、及び前記捌きベルト群はユニット化され、前記ユニットを前記ホッパー上部に着脱自在に取り付け可能としたことを特徴とする帳票処理装置。
【発明の詳細な説明】
【０００１】
【発明の属する技術分野】
本発明は、各種伝票、申込書等の帳票を供給する帳票供給装置及びこれを用いて供給された帳票を処理するための帳票処理装置に関する。
【０００２】
【従来の技術】
帳票処理装置は、近年、文字認識技術の向上により使用される用途が増えている。例えば、銀行、官公庁を始め様々な分野で使用する各種伝票、申込書等の帳票は、従来は処理する人が帳票の内容をコンピュータに入力して所定の処理を行っていた。しかしながら、最近では例えば特開平１１−１７７７８４号公報に示すように光学的文字認識装置すなわちＯＣＲ（Optical Character Reader）を用いて帳票上の文字が読み取られ、コンピュータ内に取り込まれ、読み取った文字が認識され、この認識された文字をもとに様々な処理を行っている。
【０００３】
以下、図５を用いて従来の帳票処理装置について説明する。
【０００４】
帳票処理装置１０１は帳票１０２が載置されるベース１０３、ホッパー１０４、取出しローラ１０５，１０６、セパレータ１０７、テンションローラ１０８、ドライブモータ１０９、光源１１０，１１１、リフレクタ１１２、折り返しミラー１１４，１１５、レンズ１１６、ＣＣＤセンサ１１７、搬送路１１８、ＣＣＤセンサ１１９、ドットプリンタヘッド１２０、インクリボン１２１、プラテン１２２、及びスタッカ１２３とからなる。
【０００５】
帳票１０２が積層された帳票束は、ホッパー１０４に取付けられた上下にスライドするベース１０３に載置されている。ベース１０３は、帳票１０２が取出されていくに従って上方に移動するような機構になっている。
【０００６】
束の一番上の帳票１０２は、ゴム等の材質を持つ取出しローラ１０５，１０６が時計回りに回転することにより、一枚づつ取出されていく。
【０００７】
取出しローラ１０５，１０６によって帳票１０２が複数枚取出された場合には、セパレータ１０７で二枚目以降の帳票１０２が一枚目の帳票１０２と一緒に取出されることを防ぐ。
【０００８】
取出された帳票１０２は、図中矢印方向に搬送され、一対のローラすなわちテンションローラ１０８と、図示しないモータにつながれたドライブローラ１０９との間で搬送力を受けながら一定速度で搬送される。この一対のローラ１０８，１０９は搬送路１１８の全域にわたって複数対設けられている。
【０００９】
帳票１０２が読み取り部Ａに到達すると、帳票１０２表面に表示される情報の読み取りを開始する。読み取り方法は光源１１０，１１１から照射された光をリフレクタ１１２で読み取り部Ａに集光させ、Ａの位置にある帳票１０２の文字に光が照射されると、帳票１０２からの反射光は折り返しミラー１１４，１１５で折り返されて、レンズ１１６を通りＣＣＤセンサ１１７で結像される。光源１１０，１１１からＣＣＤセンサ１１７までの光路を光路１１３とする。
【００１０】
ＣＣＤセンサ１１７で読み取られた帳票１０２の情報は、図示しないコンピュータに取込まれ文字の認識が行われデータ処理される。
【００１１】
上記一連の動作は帳票１０２を移動させながら連続して行われる。また帳票１０２表面の情報を読み取る際は通常縮小光学系が用いられる。
【００１２】
読み取り部Ａを通過した帳票１０２が読み取り部Ｂに到達すると、帳票１０２裏面の情報の読み取りを開始する。
【００１３】
読み取り部Ｂでは、縮小光学系が入るスペースがないため密着型のラインＣＣＤセンサ１１９が用いられる。帳票１０２裏面の情報を読み取る必要がない場合は、密着型のラインＣＣＤセンサ１１９は不要である。
【００１４】
読み取り部Ｂを通過した帳票１０２は、搬送路１１８に沿って搬送される。
【００１５】
搬送路１１８によって搬送される帳票１０２は、該帳票１０２から情報を読み取ったことを示す印がプリンタにより記録される。プリンタは、ドットプリンタヘッド１２０と、インクリボン１２１と、プラテン１２２とから構成される。
【００１６】
インクリボン１２１とプラテン１２２との間にある帳票１０２に、所定の文字例えば受付番号または使用者固有の番号などが印字される。印字が終了した帳票１０２は、矢印の方向に搬送されスタッカ１２３に送られる。
【００１７】
この様な動作を帳票１０２がベース１０３からなくなるまで連続して行われて、読み取り、印字が終了した帳票１０２はスタッカ１２３に集積される。
【００１８】
【発明が解決しようとする課題】
しかしながら、上述のような構成をした従来の帳票処理装置には以下のような問題があった。すなわち、従来のように帳票を水平状態から取出す方法では、同じ種類の積層帳票を一枚づつ取出す場合は問題ないが、様々な大きさ、厚さ、紙質が違う帳票が混在した異種混在帳票を取出す際、摩擦係数の大きい帳票が混在していると異種混在帳票が整列されずにスキューした状態で取出しを行う場合が発生する。この場合、従来の方法でも取出しはある程度可能であるが、スキューしたまま帳票の取出しを行うと、スキュー検知機構により読取エラーとなってしまう。
【００１９】
また、一度に大量の帳票読取を行うためには帳票の積足しが必須であり、従来のホッパー上に水平に帳票を搭載して取出す機構では帳票の積足しが自由にできなかった。
【００２０】
また、異種混在帳票を扱う場合、帳票間の摩擦係数が一定でなく様々な摩擦係数の帳票が混在しているため、摩擦係数が大きい帳票を取出す際、従来のローラ対の分離部ではローラどうしの接触面積、すなわちニップが小さいため分離が十分にできない場合があり、重送が発生する可能性があった。
【００２１】
そこで、本発明は上記従来の問題点に鑑みてなされたもので、確実に大量の異種混在帳票の取出しが行える帳票処理装置の提供を目的とする。
【００２２】
【課題を解決するための手段】
上記目的を達成するために、本発明では、供給部に供給された帳票を取出し部から一枚ずつ取出して搬送路に送り、搬送中に前記帳票上に記録された情報を読み取る帳票処理装置において、前記供給部は、前記帳票を複数枚積層させた状態で水平面に対して角度をつけて載置するためのバックアップ板、前記帳票に前記角度をつけたまま水平方向に移動させるために設けられる複数段の供給ベルト群、前記供給ベルト群の送り速度よりも速い送り速度で駆動され、前記帳票を捌くために設けられる複数段の捌きベルト群、及び前記帳票を水平面上に載置し、前記帳票を前記取出し部に供給するためのホッパーを有し、前記バックアップ板、前記供給ベルト群、及び前記捌きベルト群はユニット化され、前記ユニットを前記ホッパー上部に着脱自在に取り付け可能としたことを特徴とする帳票処理装置を提供する。
【００２５】
【発明の実施の形態】
以下、本発明の実施の形態について、図面を参照しながら説明する。
【００２６】
図１〜図３は本発明の第１の実施形態に関するものである。図１は正面図、図２は平面図を示したものである。また、図３は、供給ユニット装置の斜視図を２つの方向から見たものを示したものである。
【００２７】
これらの図において、１は供給ユニット装置であり、本体２のホッパー３に図示しないネジにより固定されている。従来のように同一種類の帳票を積層させて取出す場合は、供給ユニット装置１をホッパー３から取り外し、ホッパー３を図中矢印ｄの方向の最下部に移動させて帳票を載せ、次にホッパー３を図中矢印ｃの方向に移動させて、積層帳票の最上部が取出しローラ３１に接する位置を検出するセンサ５７で検知するまでホッパー３を上昇させ、この状態において取出しを開始する。
【００２８】
大きさ、厚さ、紙質等が違う帳票類が混在した異種混在帳票を取出す場合は、ホッパー３を図示しないセンサで検知できる所定の位置まで矢印ｄの方向に移動させて供給ユニット装置１を取付けるようになっている。
【００２９】
供給ユニット装置１を用いた異種混在帳票の取出し動作について図１〜図３を用いて説明する。異種混在帳票を供給する場合、まず、バックアップユニット４を取出し部と反対方向に移動させるが、この場合はつまみ６を矢印ｅの方向に動かすと供給ベルト１２に接しているローラ２７が上がるようになっており、この状態でバックアップユニット４を図１の右方向に移動させる。バックアップユニット４は、ボールブッシュ２６とレール１３により、図１の矢印ａ，ｂ間を直線的に移動可能になっている。
【００３０】
ここで、バックアップ板５は水平面に対して角度をつけてある。
【００３１】
バックアップユニット４がｂの位置に来ると、レバー７がピン８にロックされる機構になっているため、この位置で固定することができる。この状態で複数枚の異種混在帳票２０を、筐体２５上面の供給面５４に載置する。モータ１０で駆動される供給ベルト群１２は、供給面５４に複数切り込みを入れた部分に設置できるようになっており、供給ベルト群１２上面の高さ方向の位置関係は供給面５４よりベルト厚さ分だけ高くなるように取付けてある。これにより、異種混在帳票２０を供給面５４にある供給ベルト群１２上に載置することができる。
【００３２】
バックアップ板５に傾けて供給された複数の異種混在帳票２０は、バネでバックアップ板５から離れるように押付けられているつまみ６を上げてレバー７をピン８から解除すると、ローラ２７が供給ベルトから離れるため、バックアップユニット４は自由に動かすことが可能となる。従って、バックアップユニット４を積層された複数の異種混在帳票２０の後方から取出し部方向に移動させ任意な位置でつまみ６を離すと、ローラ２７が供給ベルト群１２と接触するためその位置での保持が可能となる。この状態で再度供給ベルト群１２を動作させると、バックアップユニット４は供給ベルト群１２に同期して同じ速度で取出し部方向に移動する。
【００３３】
供給ベルト群１２の取出し部側には、モータ１４により供給ベルト群１２の送り速度よりも速い速度で動作される捌きベルト群１６が設けられている。これは取出し直前で異種混在帳票２０を取出しやすいように捌きの効果をもたせるためである。
【００３４】
異種混在帳票２０の最上面が１次取出しローラ１９に接触すると、取出しが開始される。取出された帳票は、補助ローラ３５に対向する２次取出しローラ３１により分離部へ搬送される。分離部は分離ローラ３０および分離ベルト３４からなり、分離ベルト３４は分離ローラ３０の回転方向と反対に任意の速度で回転するようになっている。この構成において、分離部に複数枚の帳票が搬送された場合でも一番上の帳票から１枚づつ分離させることができる。１枚づつ取出された帳票は、搬送ローラ対３６−３７、３８−３９、４０−４１により搬送部へ送られ読み取り、文字認識が行われスタッカへ送られる。
【００３５】
供給ベルト群１２とバックアップユニット４で異種混在帳票２０を取出し方向に押付ける際、押付ける力が大きい場合は図示しないバネにより支持された押圧ローラ２１により、押付け力を複数個のセンサ２２により検知できるようになっている。例えば押付け力が所定の値よりも大きい場合、供給ベルト群１２の速度を遅くするあるいは、止めるような制御を行い、押付け力が小さい場合は速くするような制御を行っている。複数個のセンサ２２を設けることによりこのような制御を行うことができ、バックアップユニット４の押付け力を常に最適な状態に保つことが可能となる。
【００３６】
モータ１７は１次取出しローラ１９を駆動するようになっている。モータ２８は分離ローラ３０と２次取出しローラ３１を駆動するようになっており、分離ローラ３０と２次取出しローラ３１は図示しないタイミングベルトに連結されているため同じ速度で回転する構成になっている。モータ３２は分離ベルト３４を駆動するようになっている。これらモータ１７，２８，３２の駆動は、光電センサ４４，４５と４６，４７と４８，４９と５０，５１と５２，５３のそれぞれの光軸を帳票が通過する際のセンサの出力タイミングにより駆動、停止を制御するようになっている。
【００３７】
次に積足し動作について説明する。バックアップユニット４が位置センサ２３の位置にきたとき、帳票が残り少なくなったと判断するようになっている。
【００３８】
ここでバックアップユニット４のつまみ６を上に上げることによりローラ２７を供給ベルト群１２から離し、バックアップユニット４を後方に移動させる。
【００３９】
バックアップユニット４はレバー７をピン８に引っ掛けることにより固定される。この場合、バックアップユニット４は位置センサ２４がｏｎになる位置で固定される。この状態で帳票の積足しを行う。積足しが終了したらはじめと同様の動作を行えばよい。この動作を繰り返すことにより、連続して大量の帳票読み取りが可能となる。積足しを行っている間は、供給部に残った帳票の読み取りを行うようにしておけば、時間を有効に使うことができる。
【００４０】
また、取出し時において供給面５４上の異種混在帳票２０は、供給ベルト群１２から捌きベルト群１６上に移動する際、速度差を設けた構成にしているため、帳票にスキューが発生していても、ある程度のスキュー補正が可能となる。
【００４１】
分離部の分離ローラ３０に対向している分離ベルト３４は、１つの分離ローラに対して２本設けて取付けてある。すなわち、ローラ３０の両端に対向する位置に分離ベルト３４が１本づつ取付けられている。従って、装置として分離ローラは２つ取付けてあるため、分離ベルトは４本取付けることになる。このような構成にすることにより、分離時に帳票のスキューを発生しにくくすることが可能となる。
【００４２】
図４は、分離部の分離ベルトの代わりに分離ローラ５７を取付けてある場合を示している。５８はギアでモータ３２からの駆動力を分離ローラ５７に伝えている。このような構成においても、前述の供給ユニット装置１を用いた取出し、積足し動作は同様に行うことが可能である。
【００４３】
ＯＣＲ装置には卓上タイプの２個のスタッカを持つものから、多くのスタッカを備えたソーターを複数台連結しトータルで数十個のスタッカを持つタイプのものまである。従って、ここで示した供給ユニット装置は、これらのどのタイプＯＣＲにも搭載可能であるため、どのタイプの装置に対しても異種混在帳票の連続読み取り処理が可能となる。
【００４４】
【発明の効果】
以上説明したように本発明によれば、帳票の供給部をユニット化し、帳票の供給姿勢を水平に対して角度をもった構成にし積足し機構を設けることにより、連続して大量の帳票読み取り処理が可能となる。
【図面の簡単な説明】
【図１】  本発明に係る帳票処理装置の第１の実施形態の正面図。
【図２】  本発明に係る帳票処理装置の第１の実施形態の平面図。
【図３】  本発明に係る帳票処理装置の第１の実施形態の斜視図。
【図４】  本発明に係る帳票処理装置の第２の実施形態の正面図。
【図５】  従来の帳票処理装置の正面図。
【符号の説明】
１  供給ユニット
３  ホッパー
４  バックアップユニット
１２  供給ベルト群
１６  捌きベルト群
１９  １次取出しローラ
２０  異種混在帳票
３０  分離ローラ
３１  ２次取出しローラ
３４  分離ベルト
１０２  帳票
１１７  ＣＣＤセンサ
【図１】
0003740025.tif 000002
【図２】
0003740025.tif 000003
【図３】
0003740025.tif 000004
【図４】
0003740025.tif 000005
【図５】
0003740025.tif 000006